(57)【要約】【課題】重機アタッチメントの刃部を効率よく冷却できる散水装置及びこれを備えた解体重機を提供する。【解決手段】本発明の散水装置は、重機アタッチメントの上部に取り付けられる環状パイプと、環状パイプに設けられ、圧力水が送り込まれる水供給口と、環状パイプに設けられ、内部が水滴で充たされた円錐体の形状に散水する複数の散水ノズルと、を備え、散水が、重機アタッチメントの下部の刃部に向かって行われ、刃部先端面の平面視で、円錐体の底部の半径が、環状パイプの半径より大きい。【選択図】図３
2020007742.tif 000002
【特許請求の範囲】
【請求項１】
重機アタッチメントの上部に取り付けられる環状パイプと、
前記環状パイプに設けられ、圧力水が送り込まれる水供給口と、
前記環状パイプに設けられ、内部が水滴で充たされた円錐体の形状に散水する複数の散水ノズルと、が備えられ、
散水が、重機アタッチメントの刃部に向かって行われ、刃部先端面の平面視で、前記円錐体の底部の半径が、前記環状パイプの半径より大きいことを特徴とする散水装置。
【請求項２】
前記散水ノズルは、１流体ノズルと、２流体ノズルと、が交換可能に装着され、前記２流体ノズルは、空気と圧力水が混合されて噴射されることを特徴とする請求項１に記載の散水装置。
【請求項３】
前記圧力水には、界面活性剤が添加されることを特徴とする請求項１に記載の散水装置。
【請求項４】
前記散水ノズルに換えて、封止キャップが設けられることを特徴とする請求項１に記載の散水装置。
【請求項５】
請求項１に記載の散水装置が搭載された解体重機であって、
運転室の操作盤に、前記散水装置の散水の開始と停止の操作ボタンが設けられることを特徴とする解体重機。
【発明の詳細な説明】
【技術分野】
【０００１】
本発明は、散水装置及びこれを備えた解体重機に係り、より詳細には、重機アタッチメントの刃部を効率よく冷却することができる散水装置及びこれを備えた解体重機に関する。
【背景技術】
【０００２】
特許文献１には、散水機能を有する解体重機が示される。これによれば、解体重機のアームの先端部に散水ノズルが設けられ、散水ノズルから破砕箇所周辺に散水を行なう。人手による散水に比較して、効果のある粉塵の防止が行なえるとしている。しかしながら、重機に取り付けられるアタッチメントには散水を行なっていない。超大型重機のブームに装着されるアタッチメントには、鉄骨カッターや大割ニブラなどがある。鉄骨カッターは、例えば板厚２０ｍｍのＨ鋼を切断でき、大割ニブラは高強度コンクリートを圧砕できる。そのためアタッチメントの刃部が高温になって、解体部材に発火する危険もある。
【０００３】
鉄骨カッターは、一例として重量が約１９０００ｋｇ（＝１９トン）、高さが５．４ｍ、幅が３ｍ、刃部の切断力は６０００ｋＮ／ｍ２である。大割ニブラは、一例として重量が約１８０００ｋｇ（１８トン）、高さが４．８ｍ、幅が４．２ｍ、刃部の圧砕力は６７００ｋＮ／ｍ２である。このため、Ｈ鋼の切断時や、コンクリートの圧砕時には、刃部が熱を持つ。火力発電所の解体においては、石炭屑、配管用のゴムシール材、オイルなど燃えやすい材料が多いので、より安全な解体が求められている。
【先行技術文献】
【特許文献】
【０００４】
【特許文献１】特開平９−１２５７０９号公報
【発明の概要】
【発明が解決しようとする課題】
【０００５】
本発明の目的は、重機アタッチメントの刃部を効率よく冷却できる散水装置及びこれを備えた解体重機を提供することにある。
【課題を解決するための手段】
【０００６】
本発明による散水装置は、重機アタッチメントの上部に取り付けられる環状パイプと、前記環状パイプに設けられ、圧力水が送り込まれる水供給口と、前記環状パイプに設けられ、内部が水滴で充たされた円錐体の形状に散水する複数の散水ノズルと、が備えられ、散水が、重機アタッチメントの刃部に向かって行われ、刃部先端面の平面視で、前記円錐体の底部の半径が、前記環状パイプの半径より大きいことを特徴とする。
【０００７】
前記散水ノズルは、１流体ノズルと、２流体ノズルと、が交換可能に装着され、前記２流体ノズルでは空気と圧力水が混合されて噴射されることを特徴とする。
【０００８】
前記圧力水に、界面活性剤が添加されることを特徴とする。
【０００９】
前記散水ノズルに換えて、封止キャップが設けられることを特徴とする。
【００１０】
本発明による解体重機は、前記散水装置が搭載された解体重機であって、運転室の操作盤に、前記散水装置の散水の開始と停止の操作ボタンが設けられることを特徴とする。
【発明の効果】
【００１１】
本発明による散水装置によれば、
（１）重機アタッチメントの上部に環状パイプを設け、環状パイプに設けた複数の散水ノズルから、刃部に向かって散水したので、刃部を効率よく冷却できる。
（２）刃部先端面の平面視で、円錐体の底部の半径を環状パイプの半径より大きくしたので、刃部が回動しても、刃部は複数の円錐体によって形成される散水空間内にあるので、刃部の正面、背面及び側面を効率よく冷却できる。
（３）重機アタッチメントの下部の刃部に向かって散水するので、刃部の前方の解体物にも散水でき、粉塵の飛散防止ができる。
（４）煙が出ているような箇所に向けて散水すれば、消火と発火抑制ができる。
【００１２】
１流体ノズルと２流体ノズルが交換可能に装着できるので、例として、２流体ノズルを装着すれば、空気と水が混合されて噴射され霧が発生するので、水を大幅に節約できる。
【００１３】
圧力水に界面活性剤を添加し、水の表面張力を低下させたので、水が解体物の細部まで浸透する。水の浸透性が向上するので、例えばアスベスト粉塵の飛散防止に効果がある。
【００１４】
散水ノズルに封止キャップを取付け可能としたので、使用する散水ノズルの数を制限できる。例えば８つの散水ノズルのうち、４つのみを使用する事ができる。解体する素材によって、散水の量を制限する場合に有効である。
【００１５】
本発明による解体重機によれば、
（１）重機アタッチメントの上部に環状パイプを設け、環状パイプの散水ノズルから散水したので、重機アタッチメントの刃部を効率よく冷却できる。（２）刃部先端面の平面視で、円錐体の底部の半径を環状パイプの半径より大きくしたので、刃部が回動しても、刃部の正面、背面及び側面を冷却できる。（３）重機アタッチメントの下部の刃部に向かって散水するので、刃部の前方の解体物にも散水でき、解体物の粉塵の飛散が防止できる。（４）煙が出ているような箇所に向けて散水すれば、消火と発火抑制ができる。燃えやすい材料が多い場所に使用する解体重機として好適である。（５）運転室の操作盤に、散水装置の散水の開始と停止の操作ボタンを設けたので、散水の開始と停止が運転席から操作できる。
【図面の簡単な説明】
【００１６】
【図１】本発明による散水装置の斜視図である。
【図２】装着状態にある散水装置の平面図である。
【図３】装着状態にある散水装置の正面図である。
【図４】装着状態にある散水装置の右側面図である。
【図５】刃部先端面での各散水ノズルの散水範囲を示す平面図である。
【図６】散水装置を装着した解体重機の正面図である。
【図７】環状パイプが８角形の散水装置の例である。
【図８】散水装置を大割ニブラに適用した例である。
【発明を実施するための形態】
【００１７】
以下、添付の図面を参照して、本発明による散水装置及びこれを備えたを解体重機を詳細に説明する。
【実施例】
【００１８】
図１は、本発明による散水装置１０の斜視図である。散水装置１０は、環状パイプ１と複数の散水ノズル３とからなる。環状パイプ１には、圧縮水が供給される水供給口５が設けられる。環状パイプ１は、重機アタッチメント５の上部に取り付けられるので、溶接で環状パイプ１に接合した複数の取付ブラケット７を有する。散水ノズル３は、図１に示すように、１流体ノズル３ａや２流体ノズル３ｂが交換可能に装着される。２流体ノズル３ｂは、水と空気を混合して霧を噴射できる。散水ノズルを使用しない場合には、散水ノズル３に換えて、封止キャップ４が装着される。散水ノズル３は、環状パイプ１の下側に突出するノズル取付部１ａにネジ着される。本実施例では、ノズル取付部１ａは円周上に等間隔で８つを実装した。２つのノズル取付部１ａのなす角度は４５度となる。環状パイプ１の半径は、ｒ１で示す。半径ｒ１は、これに限るものではないが、約７０ｃｍである。
【００１９】
図２は、装着状態にある散水装置１０の平面図である。本実施例では、重機アタッチメント５０は、具体的には鉄骨カッター６０である。散水装置１０は、重機アタッチメント５０の上部に取り付ける。取付ブラケット７は、重機アタッチメント５０の上部から外側に突出するように取り付ける。散水装置１０が重機アタッチメント５０に装着されている場合、単体の重機アタッチメント５０を横に寝かして置くと、環状パイプ１に荷重がかかる。その場合は重機アタッチメント５０を立て掛けるスタンドを使用する。これに限らず、散水装置１０を着脱可能に取り付けるとしてもよい。そうすれば、単体の重機アタッチメント５０の寝かし置きができる。
【００２０】
図３は、装着状態にある散水装置１０の正面図である。重機アタッチメント５０は、上部５０ａと下部５０ｂからなる。上部５０ａが重機のブームの先端に取り付けられる。下部５０ｂには刃部９が設けられ、下部５０ｂは、内部に備えた回動機構により、縦軸を中心に回動できる。図３は、刃部９が正面を向いており、幅が広い状態にある。散水は、左右の散水ノズル３からの散水を示す。散水は、円錐体の形状で、内部が水滴で充たされる。図３によれば、円錐体は、刃部の先端だけではなく、刃部９の全体を覆う大きさとする。本実施の重機アタッチメント５０は、鉄骨カッター６０であり、刃部９の長さは約１．２ｍである。
【００２１】
図４は、装着状態にある散水装置１０の右側面図である。刃部９は板状のもので、右側面図での幅は正面での幅より小さい。円錐体の形状に散水するので、刃部９の正面と背面に水滴がぶつかり、効率よく冷却を行える。刃部先端面での円錐体８の底面の半径をｒ２で示す。
【００２２】
図５は、刃部先端面での各散水ノズル３の散水範囲を示す平面図である。散水ノズル３の位置は、丸囲み数字１〜８で示す。点線で示す円Ｃ１〜Ｃ８は、刃部先端面での散水の円錐体８の底面を示す。円Ｃ１〜Ｃ８は、半径がｒ２とする。半径ｒ２は、環状パイプ１の半径ｒ１より大きい。そのため環状パイプ１の中心では、円Ｃ１〜Ｃ８の８つの円が重なる領域となる。この部分では散水が重畳される。円Ｃ１〜Ｃ８が重畳しない領域や、２〜７つの円が重畳される領域などができる。円Ｃ１〜Ｃ８の半径が小さく散水の形状が略円柱体の場合、刃部９には水滴がぶつからない。
【００２３】
図６は、散水装置１０を装着した解体重機１００の正面図である。重機アタッチメント５０は、図６では左下方向を向いているが、水平にしたり、左斜め上方向にしたりできる。どの方向に向けても、散水は刃部９に向かって行なうことができる。解体重機１００の運転室１１の操作盤には、操作ボタン（図示せず）が設けられ、散水の開始と停止を散水装置１０に指示できる。同様に２流体ノズル３ｂへの圧縮空気の送り込み開始と停止も指示できる。
【００２４】
図７は、環状パイプが８角形の散水装置１０の例である。環状パイプ１は、図１の円形に限らず、８角形にすることができる。
【００２５】
図８は、散水装置１０を大割ニブラ７０に適用した例である。散水装置１０は、鉄骨カッター６０と同様に、大割ニブラ７０の上部に取り付けることができる。取付ブラケット７は、上部から外側に突出するように取り付ける。大割ニブラ７０は、圧砕用の刃部があり、内部に備えた回動機構により回動できる。
【００２６】
散水装置１０は、金属板からなる保護カバー（図示せず）を設け、解体破片などがぶつかっても破損しないようにできる。樹脂発泡体からなる部材で環状パイプを覆うことでもよい。樹脂発泡体が割れることで衝撃を吸収する。圧送水には、水道水の他、タンクやプールに溜め置いた水や川の水も使用可能である。圧送水に０．１〜１％程度の界面活性剤を添加すると、水の表面張力を低下させることができる。表面張力が低下すれば、解体物の細部まで水が浸透する。そのため、アスベスト等の粉塵の飛散防止に効果がある。なお、水だけの散水に比べて散水量も少なくて済む。
【産業上の利用可能性】
【００２７】
本発明は、重機アタッチメントの刃部を効率よく冷却できる散水装置として、また、燃えやすい材料が多い火力発電所などの解体重機として好適である。
【符号の説明】
【００２８】
１    環状パイプ
１ａ    ノズル取付部
３    散水ノズル
３ａ    １流体ノズル
３ｂ    ２流体ノズル
４    封止キャップ
５    水供給口
６    空気供給孔
７    取付ブラケット
７ａ    縦ブラケット
７ｂ    横ブラケット
８    円錐体
９    刃部
１０    散水装置
１１    運転室
５０    重機アタッチメント
５０ａ    上部
５０ｂ    下部
６０    鉄骨カッター
７０    大割ニブラ
１００    解体重機
ｒ１    環状パイプの半径
ｒ２    円錐体の底面の半径
【図１】
2020007742.tif 000003
【図２】
2020007742.tif 000004
【図３】
2020007742.tif 000005
【図４】
2020007742.tif 000006
【図５】
2020007742.tif 000007
【図６】
2020007742.tif 000008
【図７】
2020007742.tif 000009
【図８】
2020007742.tif 000010
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
重機アタッチメントの上部に取り付けられる環状パイプと、
前記環状パイプに設けられ、圧力水が送り込まれる水供給口と、
前記環状パイプに設けられ、内部が水滴で充たされた円錐体の形状に散水する複数の散水ノズルと、が備えられ、
散水が、重機アタッチメントの刃部に向かって行われ、刃部先端面の平面視で、前記円錐体の底部の半径が、前記環状パイプの半径より大きく、
前記散水ノズルは、１流体ノズルと、２流体ノズルと、が交換可能に装着され、前記２流体ノズルは、空気と圧力水が混合されて噴射されることを特徴とする散水装置。
【請求項２】
前記圧力水には、界面活性剤が添加されることを特徴とする請求項１に記載の散水装置。
【請求項３】
前記散水ノズルに換えて、封止キャップが設けられることを特徴とする請求項１に記載の散水装置。
【請求項４】
請求項１に記載の散水装置が搭載された解体重機であって、
運転室の操作盤に、前記散水装置の散水の開始と停止の操作ボタンが設けられることを特徴とする解体重機。
【手続補正２】
【補正対象書類名】明細書
【補正対象項目名】０００６
【補正方法】変更
【補正の内容】
【０００６】
本発明による散水装置は、重機アタッチメントの上部に取り付けられる環状パイプと、前記環状パイプに設けられ、圧力水が送り込まれる水供給口と、前記環状パイプに設けられ、内部が水滴で充たされた円錐体の形状に散水する複数の散水ノズルと、が備えられ、散水が、重機アタッチメントの刃部に向かって行われ、刃部先端面の平面視で、前記円錐体の底部の半径が、前記環状パイプの半径より大きく、前記散水ノズルは、１流体ノズルと、２流体ノズルと、が交換可能に装着され、前記２流体ノズルは、空気と圧力水が混合されて噴射されることを特徴とする。
【手続補正３】
【補正対象書類名】明細書
【補正対象項目名】０００７
【補正方法】削除
【補正の内容】